【手続補正書】
【提出日】平成15年7月18日(2003.7.18)
【手続補正１】
【補正対象書類名】明細書
【補正対象項目名】特許請求の範囲
【補正方法】変更
【補正の内容】
【特許請求の範囲】
【請求項１】
異なる波長の光を発光しそれぞれ独立に制御可能な複数のカラー光源からなる光源部と、該光源部を駆動する光源駆動回路と、前記光源部が発光する光の透過率を制御するシャッタ部と、該シャッタ部を制御するシャッタ制御回路を有し、１つのフィールドに複数のサブフィールドを設け、各サブフィールド毎に特定のカラー光源を点灯させると共に対応するシャッタ部を制御して多色表示を行う表示装置において、
前記シャッタ部は複数のコモン電極と複数のセグメント電極とを備えた液晶パネルであり、前記シャッタ制御回路は前記液晶パネルのコモン電極を前記サブフィールド内で複数回走査するためのコモン信号を発生して前記液晶パネルを時分割駆動する制御回路である事を特徴とする表示装置。
【請求項２】
前記コモン電極の各々を前記サブフィールド内で複数回走査することによって前記シャッタ部を閉状態に保つ事を特徴とする請求項１に記載の表示装置。
【請求項３】
前記シャッタ制御回路は、更に前記サブフィールド内に白リセット期間を設ける事を特徴とする請求項１又は請求項２に記載の表示装置。
【請求項４】
前記サブフィールドの時間幅は４〜６ｍｓｅｃであり、且つ、前記サブフィールド毎に前記各々のコモン電極を６〜１５回走査する事を特徴とする請求項１乃至請求項３のいずれかに記載の表示装置。
【請求項５】
前記コモン電極への印加電圧と、前記データ電極への印加電圧が２：１の割合である事を特徴とする請求項１乃至請求項４のいずれかに記載の表示装置。
【請求項６】
前記シャッタ部に、１８０〜２７０度ツイストで、液晶の複屈折率△ｎとセルギャップｄの積である△ｎｄが６５０ｎｍ〜８５０ｎｍであるＳＴＮ液晶パネルを用いる事を特徴とする請求項１乃至請求項５のいずれかに記載の表示装置。
【請求項７】
異なる波長の光を発光しそれぞれ独立に制御可能な複数のカラー光源からなる光源部と、該光源部を駆動する光源駆動回路と、前記光源部が発光する光の透過率を制御するシャッタ部と、該シャッタ部を制御するシャッタ制御回路を有し、１つのフィールドに複数のサブフィールドを設け、各サブフィールド毎に特定のカラー光源を点灯させると共に対応するシャッタ部を制御して多色表示を行う表示装置において、
前記液晶パネルのシャッタ部は複数のコモン電極と複数のセグメント電極とを備え、前記シャッタ制御回路は前記液晶パネルのコモン電極を前記サブフィールド内で複数回走査するためのコモン信号を発生して前記液晶パネルを時分割駆動する事を特徴とする表示装置の駆動方法。
【請求項８】
前記コモン電極の各々を前記サブフィールド内で複数回走査することによって前記シャッタ部を閉状態に保つ事を特徴とする請求項７に記載の表示装置の駆動方法。
【請求項９】
前記シャッタ部の状態を制御するために、前記シャッタ制御回路は、前記サブフィールド内に白リセット期間を設けた事を特徴とする請求項７又は請求項８に記載の表示装置の駆動方法。
【請求項１０】
前記サブフィールドの時間幅は４〜６ｍｓｅｃであり、且つ、前記サブフィールド毎に前記各々のコモン電極を６〜１５回走査する事を特徴とする請求項７乃至請求項９のいずれかに記載の表示装置の駆動方法。
【請求項１１】
前記コモン電極への印加電圧と、前記データ電極への印加電圧が２：１の割合である事を特徴とする請求項７乃至請求項１０のいずれかに記載の表示装置の駆動方法。
【請求項１２】
前記シャッタ部に、１８０〜２７０度ツイストで、液晶の複屈折率△ｎとセルギャップｄの積である△ｎｄが６５０ｎｍ〜８５０ｎｍであるＳＴＮ液晶パネルを用いる事を特徴とする請求項７乃至請求項１１のいずれかに記載の表示装置の駆動方法。
【手続補正２】
【補正対象書類名】明細書
【補正対象項目名】００１９
【補正方法】変更
【補正の内容】
【００１９】
ドット表示による任意な文字や図形表示を実現するためには、複数のコモン電極を用いて時分割駆動し表示セグメント数を増加する必要がある。しかし、通常のＳＴＮ液晶表示装置では、複数のコモン電極を電圧平均化法と呼ぶ駆動方法を用いて、各セグメントに印加される実効電圧を、僅かに変化させてオン／オフ表示を行う時分割駆動が可能であるが、印加電圧差が少ないため応答時間は百〜数百ｍ秒もかかってしまう。したがってドット表示による任意な文字や図形表示を実現するフィールド順次型カラー表示装置の液晶シャッタ用としてＳＴＮ液晶パネルを採用することは困難である。


【手続補正３】
【補正対象書類名】明細書
【補正対象項目名】００２３
【補正方法】変更
【補正の内容】
【００２３】
【課題を解決するための手段】
上記の目的を達成する為に本発明の第１の手段における表示装置は、異なる波長の光を発光しそれぞれ独立に制御可能な複数のカラー光源からなる光源部と、該光源部を駆動する光源駆動回路と、前記光源部が発光する光の透過率を制御するシャッタ部と、該シャッタ部を制御するシャッタ制御回路を有し、１つのフィールドに複数のサブフィールドを設け、各サブフィールド毎に特定のカラー光源を点灯させると共に対応するシャッタ部を制御して多色表示を行う表示装置において、前記シャッタ部は複数のコモン電極と複数のセグメント電極とを備えた液晶パネルであり、前記シャッタ制御回路は前記液晶パネルのコモン電極を前記サブフィールド内で複数回走査するためのコモン信号を発生して前記液晶パネルを時分割駆動する制御回路である事を特徴とするもので、特に第２の手段として前記コモン電極の各々を前記サブフィールド内で複数回走査することによって前記シャッタ部を閉状態に保つ事を特徴とする。


【手続補正４】
【補正対象書類名】明細書
【補正対象項目名】００２４
【補正方法】変更
【補正の内容】
【００２４】
本発明の第３の手段における表示装置は、前記シャッタ制御回路は、更に前記サブフィールド内に白リセット期間を設ける事を特徴とする。


【手続補正５】
【補正対象書類名】明細書
【補正対象項目名】００２５
【補正方法】変更
【補正の内容】
【００２５】
本発明の第４の手段における表示装置は、前記サブフィールドの時間幅は４〜６ｍｓｅｃであり、且つ、サブフィールド毎に各々のコモン電極を６〜１５回走査する事を特徴としている。


【手続補正６】
【補正対象書類名】明細書
【補正対象項目名】００２６
【補正方法】変更
【補正の内容】
【００２６】
本発明の第５の手段における表示装置は、前記コモン電極への印加電圧と、前記データ電極への印加電圧が２：１の割合である事を特徴とする。


【手続補正７】
【補正対象書類名】明細書
【補正対象項目名】００２７
【補正方法】変更
【補正の内容】
【００２７】
本発明の第６の手段における表示装置は、前記シャッタ部に、１８０〜２７０度ツイストで、液晶の複屈折率△ｎとセルギャップｄの積である△ｎｄが６５０ｎｍ〜８５０ｎｍであるＳＴＮ液晶パネルを用いる事を特徴とする。


【手続補正８】
【補正対象書類名】明細書
【補正対象項目名】００２８
【補正方法】変更
【補正の内容】
【００２８】
本発明の第７の手段における表示装置の駆動方法は、
異なる波長の光を発光しそれぞれ独立に制御可能な複数のカラー光源からなる光源部と、該光源部を駆動する光源駆動回路と、前記光源部が発光する光の透過率を制御するシャッタ部と、該シャッタ部を制御するシャッタ制御回路を有し、１つのフィールドに複数のサブフィールドを設け、各サブフィールド毎に特定のカラー光源を点灯させると共に対応するシャッタ部を制御して多色表示を行う表示装置において、前記液晶パネルのシャッタ部は複数のコモン電極と複数のセグメント電極とを備え、前記シャッタ制御回路は前記液晶パネルのコモン電極を前記サブフィールド内で複数回走査するためのコモン信号を発生して前記液晶パネルを時分割駆動する事を特徴とするもので、特に第８の手段としての良好な実施形態として、前記シャッタ部を閉状態に保つためにコモン電極の各々をサブフィールド内で複数回走査する事を特徴とする。


【手続補正９】
【補正対象書類名】明細書
【補正対象項目名】００２９
【補正方法】変更
【補正の内容】
【００２９】
本発明の第９の手段における表示装置の駆動方法は、前記シャッタ部の状態を制御するために、前記シャッタ制御回路は、前記サブフィールド内に白リセット期間を設けた事を特徴とする。


【手続補正１０】
【補正対象書類名】明細書
【補正対象項目名】００３０
【補正方法】変更
【補正の内容】
【００３０】
本発明の第１０の手段における表示装置の駆動方法は、前記サブフィールドの時間幅は４〜６ｍｓｅｃであり、且つ、サブフィールド毎に各々のコモン電極を６〜１５回走査する事を特徴とする。


【手続補正１１】
【補正対象書類名】明細書
【補正対象項目名】００３１
【補正方法】変更
【補正の内容】
【００３１】
本発明の第１１の手段における表示装置の駆動方法は、前記コモン電極への印加電圧と、前記データ電極への印加電圧が２：１の割合である事を特徴としている。
【手続補正１２】
【補正対象書類名】明細書
【補正対象項目名】００３２
【補正方法】変更
【補正の内容】
【００３２】
本発明の第１２の手段における表示装置の駆動方法は、前記シャッタ部に、１８０〜２７０度ツイストで、液晶の複屈折率△ｎとセルギャップｄの積である△ｎｄが６５０ｎｍ〜８５０ｎｍであるＳＴＮ液晶パネルを用いる事を特徴とする。


【手続補正１３】
【補正対象書類名】明細書
【補正対象項目名】００４１
【補正方法】変更
【補正の内容】
【００４１】
図５に、本実施の形態で用いるＳＴＮ液晶パネルの応答時間と印加電圧との関係を示す。実線は、室温で、開から閉へのオン応答時間１２を示し、点線は、電圧０Ｖに戻した際の、閉から開へのオフ応答時間１３を示す。オン応答時間１２は、印加電圧の影響を受け、印加電圧が９Ｖでのオン応答時間は約１ｍ秒、１２Ｖで０．５ｍ秒と早いが、印加電圧４Ｖでのオン応答時間は約８ｍ秒と非常に遅くなる。


【手続補正１４】
【補正対象書類名】明細書
【補正対象項目名】００４９
【補正方法】変更
【補正の内容】
【００４９】
単独の原色を表示する場合のデータ信号Ｄは、その色に対応したサブフィールドのみでシャッタが透過状態（開）となるような波形となる。例えば、赤を表示する場合のデータ信号Ｄｒは赤に対応したサブフィールドｆＲでのみシャッタが透過状態となるような波形をとり、サブフィールドｆＧ、ｆＢでは、シャッタが閉状態となる波形となる。緑を表示する場合のデータ信号Ｄｇは緑に対応したサブフィールドｆＧでのみシャッタが透過状態となるような波形となる。


【手続補正１５】
【補正対象書類名】明細書
【補正対象項目名】００６３
【補正方法】変更
【補正の内容】
【００６３】
これまで説明してきたように、本発明の第１の実施の形態のフィールド順次型表示装置により、ＳＴＮ液晶パネルを液晶シャッタ部に採用した場合でも、コモン電極を複数にして時分割駆動が可能になったため、表示セグメント数を増加することでドット表示ができ、任意の文字や図形が表示できる低価格なカラー表示装置を提供できる。


【手続補正１６】
【補正対象書類名】明細書
【補正対象項目名】００９２
【補正方法】変更
【補正の内容】
【００９２】
【発明の効果】
以上のように本発明のフィールド順次型の表示装置によれば、液晶シャッタ部にＳＴＮ液晶を用いても高速応答が可能であり、複数本のコモン電極からなる時分割駆動により表示セグメント数を増加することが可能となる。この結果、低価格でしかもドット表示によるカラーでの任意の文字や図形が表示可能なフィールド順次型の表示装置及びその駆動方法を提供できる。